(57)【要約】【課題】情報整理表示システムにおいて、自動的に特定の作業ノードに対して支援情報を関連付けることにより、関連付け作業の簡便化を図ること。【解決手段】利用者は、条件およびプッシュ情報指定手段３ａから、検索条件となる情報ネットワークの部分構造と、その一部の情報ノードに、送付対象となる情報ノードがリンクで結ばれた情報ネットワークを入力する。プッシュ制御手段３ｂは、検索条件部分と、送付対象となる情報ノードもしくはリンクを分け、検索条件部分を検索手段２ａに入力する。そして、出力として合致する情報ネットワークの一部を、保存された情報ネットワークから得て、検索結果の中で、送付対象の情報ノードとリンク付けされた情報ノードに対応する情報ノードそれぞれに対し、送付対象の情報ノードとリンクをつけて格納保存する。上記結果は、表示手段３ｃで確認することができる。【選択図】　　　　　図１
2004046488.tif 000002
【特許請求の範囲】
【請求項１】
情報、もしくは、ものを、ノードとして表し、それらノードをリンクで相互に関係付けることで仮想的な情報ネットワークを表示、格納する情報整理表示システムであって、
検索条件となる情報ネットワークの部分構造の一部の情報ノードに、送付対象となる情報ノードをリンクで結びつける条件およびプッシュ情報指定手段と、
上記検索条件部分と、送付対象となる情報ノードもしくはリンクを分け、該検索条件部分に合致する情報ネットワークの一部を、上記仮想的な情報ネットワークから検索する検索手段と、
上記検索手段により検索された複数の検索結果の中で、送付対象の情報ノードとリンク付けされた情報ノードに対応する情報ノードのそれぞれに対し、送付対象の情報ノードとリンクをつけて保存するプッシュ制御手段とを備えた
ことを特徴とする情報整理表示システム。
【請求項２】
情報もしくはものを、ノードとして表し、それらノードをリンクで相互に関係付けることで仮想的な情報ネットワークを表示、格納する情報整理表示システムに適用され、上記仮想的な情報ネットワークに送付対象となる情報を関連付けするプッシュ装置であって、
上記プッシュ装置は、
検索条件となる情報ネットワークの部分構造の一部の情報ノードと、該情報ノードにリンクで結び付けられる送付対象となる情報ノードが与えられたとき、
上記検索条件部分と、送付対象となる情報ノードもしくはリンクを分け、該検索条件部分に合致する情報ネットワークの一部を、上記仮想的な情報ネットワークから検索する検索手段と、
上記検索手段により検索された複数の検索結果の中で、送付対象の情報ノードとリンク付けされた情報ノードに対応する情報ノードのそれぞれに対し、送付対象の情報ノードとリンクをつけて保存するプッシュ制御手段とを備えた
ことを特徴とするプッシュ装置。
【請求項３】
情報もしくはものを、ノードとして表し、それらノードをリンクで相互に関係付けることで仮想的な情報ネットワークを作成し、該情報ネットワークを表示する情報整理表示システムに適用され、上記仮想的な情報ネットワークに送付対象となる情報を関連付けするためのプログラムであって、
上記プログラムは、検索条件となる情報ネットワークの部分構造の一部の情報ノードと、該情報ノードにリンクで結び付けられる上記送付対象となる情報ノードが与えられたとき、上記検索条件部分と、送付対象となる情報ノードもしくはリンクを分け、該検索条件部分に合致する情報ネットワークの一部を、上記仮想的な情報ネットワークから検索する処理と、
上記検索された複数の検索結果の中で、送付対象の情報ノードとリンク付けされた情報ノードに対応する情報ノードのそれぞれに対し、送付対象の情報ノードとリンクをつけて保存する処理をコンピュータに実行させる
ことを特徴とするプログラム。
【発明の詳細な説明】
【０００１】
【発明の属する技術分野】
本発明は、企業資産としての有形無形の情報や、ものを、装置上で意味的なノードとして表し、それらノードを意味的なリンクで相互に関係付けることで、さまざまな情報を整理し、そこから必要な情報を簡便に抽出利用することで、企業資産の再利用性を高めることができる情報整理表示システムに関し、特に、条件を満足するノードに対して、指定したノードを関係づけることで、利用者相互での情報の送付を行うことを可能にする情報整理表示システムに関するものである。
【０００２】
【従来の技術】
文書や画像や指示文等の情報に、複数種類定義されたノードを対応付け、ノード間を複数種類定義されたリンクでつなぐことにより、ノードおよびリンクからなる情報ネットワークを形成する情報整理表示システムが提案されている（例えば特開２００１−３４４１４４号公報参照）。
上記整理表示システムは、知識を高度に利用するため、さまざまな形態の知識を人間や機械が扱えるよう定型化し構造化することを支援するシステムであり、さまざまな書式の文書、図面など非構造的なコンテンツを分類するよう定義された、情報ノードと、さらにあらかじめ定義された情報ノード間の関係を使って、具体的な対象を表す情報ノード同士を関係付けてできる意味的なネットワーク（以下情報ネットワーク（ｓｅｍａｎｔｉｃ　ｎｅｔｗｏｒｋ）という）の作成を支援し、個々の情報ノードを部分的なネットワークで条件制約し検索できる検索機能と表示システムを持つ。
また、上記情報整理表示システムは、仮想的な情報ネットワークを作成し、それを表示、格納する情報整理表示装置と、情報ネットワークの部分構造を条件を指定して表示する検索表示装置と、情報整理表示装置や検索表示装置でのノードやリンクの表現形式が格納形式と異なる場合に相互に情報を変換する翻訳手段を備える。
【０００３】
上記情報整理表示システムは、サービス提供者側だけが情報を整理し、サービス利用者に提供する一律的な立場や情報の流れではなく、サービス提供者もサービス利用者とも情報を整理し共有することができるため、企業の知識資産を広く収集し活用する手段として適している。なお、この意味ではサービス提供者もサービス利用者とも区別がないので、以下、両者とも「システム利用者」もしくは単に「利用者」と記述する。また、利用者は局面の違いによって「知識利用者」にも「知識提供者」にもなりえる。
【０００４】
【発明が解決しようとする課題】
しかしながら、上記情報整理表示システムにおいては、例えば、　ある作業を表す情報ノードに特定の支援情報を利用者が関連づけようとした場合、その作業を検索した上で、その送付したい支援情報を保持する情報ノードと陽に関連付けなければならず、ある条件を満足する情報ノードだけを対象に関連づける場合のように不特定で数が多い場合に、関連付け作業は著しく困難であった。
例えば、関連付けをする対象となる情報ネットワークが多数あるとき、それぞれの情報ネットワークについて関連付け作業を行う必要があり作業量が膨大となる。
また、従来このような場合には、サービス利用者の属性を保持するデータベースとメールシステムを利用して、サービス提供者が、ある条件を満足する利用者に対し、メールで情報を送付する方法があった。
しかし、メールによる方法では、作業支援のための情報を送る例をとると、　作業場面とメールを受け取る場面が一致していないために、作業時点でそのメールを思い出したり、　探したりする必要があり、適当ではない。
本発明は上記事情に鑑みなされたものであって、本発明の目的は、自動的に特定の作業ノードに対して情報を関連付けできるようにし、関連付け作業の簡便化を図るとともに、関連付けした情報を利用者が容易に受け取ることができるようにすることである。
【０００５】
【課題を解決するための手段】
本発明は、上記情報整理表示システムにおいて、図１に示すように、新たに、検索条件となる情報ネットワークの部分構造を作成し、その一部の情報ノードに、送付対象となる、保存された情報ネットワークの情報ノードもしくは新たに作成した情報ノードをリンクで結ぶことができる、条件およびプッシュ情報指定手段３ａを設ける。
さらに、上記検索条件部分と送付対象となる情報ノードもしくはリンクを分け、検索条件部分に合致する情報ネットワークの一部を、上記仮想的な情報ネットワークから検索する検索手段を備え、該検索手段により検索された複数の検索結果の中で、送付対象の情報ノードとリンク付けされた情報ノードに対応する情報ノードそれぞれに対し、送付対象の情報ノードとリンクをつけて保存するプッシュ制御手段３ｂを設ける。
そして、利用者は、上記条件およびプッシュ情報指定手段３ａから、検索条件となる情報ネットワークの部分構造とその一部の情報ノードに、送付対象となる、保存された情報ネットワークの情報ノードもしくは新たに作成した情報ノードがリンクで結ばれた情報ネットワークを入力する。
上記プッシュ制御手段３ｂは、検索条件部分と送付対象となる情報ノードもしくはリンクを分け、検索条件部分を検索手段に入力する。そして、出力として合致する情報ネットワークの一部を保存された情報ネットワークから得る。その複数の検索結果の中で、送付対象の情報ノードとリンク付けされた情報ノードに対応する情報ノードそれぞれに対し、送付対象の情報ノードとリンクをつけて、ノード格納手段、リンク格納手段に入力し、格納保存する。
さらに、新しく関連づけられた、送付対象の情報ノードとリンク付けされた情報ノードを利用者に表示するための表示手段３ｃを設けることで利用者が結果を確認することができる。
【０００６】
本発明は上記構成としたので、例えば、ある作業ノードに関係する支援情報を、その作業ノードを検索条件に指定してその支援情報保持する情報ノードをリンク付けして送ることで、自動的に特定の作業ノードに対して支援情報を関連付けることができ、　作業が大幅に簡便化される。
また、メールで送るのに比べ、作業に必要な情報が直接関連づいていることにより、作業を表す情報ノードから自然に情報を受け取ることができるようになる。
なお、本発明の用途は作業支援に限るものでもなく、例えば、いくつかの装置部品からなる装置を表す情報ノードに対して、ある特定の装置部品の組み合わせからなる障害情報を関連付けることで、その装置から関連付けられた障害情報を簡便に参照することが可能になる。
【０００７】
【発明の実施の形態】
以下、本発明の実施例の情報整理表示装置について説明する。以下では、前記特開２００１−３４４１４４号公報で開示されて情報整理表示システムを前提として、本発明の実施例を説明する。
図１は、本実施例の情報整理表示システムの基本概念を示す図である。
本実施例の情報整理表示システムは、仮想的な情報ネットワークを作成し、それを表示・格納する情報整理表示装置１と、情報ネットワークの部分構造を条件を指定して表示する検索表示装置２と、情報整理表示装置や検索表示装置でのノードやリンクの表現形式が格納形式と異なる場合に相互に情報を変換する翻訳手段４から構成され、さらに後述する本発明に係る高精度プッシュ装置３が設けられる。
上記翻訳手段４は、ネットワーク等を介して、ノード記憶領域５ａ、リンク記憶領域５ｂを有するデータベースシステム５と接続される。なお、本発明では、以下に説明するように、仮想的な情報ネットワークに、送付対象となる情報を関連付けることを「プッシュ」と言う。
情報整理表示装置１はノード格納手段１ａとリンク格納手段１ｂを備え、ノード格納手段１ａは、選択されたノードを、指定された情報と対応付けて、データベース５のノード記憶領域５ａに格納する。また、リンク格納手段１ｂは、指定された複数のノードに、選択されたリンクを対応付けて、データベースシステム５のリンク記憶領域５ｂに格納する。
検索表示装置２は、検索手段２ａを備え、検索手段２ａは、検索条件としてノードおよびリンクからなるネットワーク構造が指定されると、これを検索条件としてノードを検索し、検索表示装置２の表示手段（図示せず）に表示する。
また、翻訳手段４はノード記憶領域５ａやリンク記憶領域５ｂにおけるノードやリンクの表現形式と、情報整理表示装置１や検索表示装置２におけるノードやリンクの表現形式との間の翻訳を行う。
【０００８】
本発明に係る高精度プッシュ装置３は、条件およびプッシュ情報指定手段３ａと、高精度プッシュ制御手段３ｂと、プッシュ用表示手段３ｃから構成される。条件およびプッシュ情報指定手段３ａは、例えば端末装置等に設けられ、利用者は、該条件およびプッシュ情報指定手段３ａから、検索条件となる情報ネットワークの部分構造と、その一部の情報ノードに、送付対象となる情報ネットワークの情報ノードもしくは新たに作成された情報ノードがリンクで結ばれた、情報ネットワークを入力する。
なお、本実施例では、後述するように、条件部とプッシュ部を分離可能にするため、条件およびプッシュ情報指定手段３ａで、前記本発明の前提となる情報整理表示システムでは定義されていない特殊な「ｐｕｓｈｅｓリンク」が使用できるようにされている。
【０００９】
高精度プッシュ制御手段３ｂは、上記プッシュ情報指定手段３ａにより指定された情報ネットワークを検索条件部分と、送付対象となる情報ノードもしくはリンクを分け、検索条件部分を前記検索手段２ａに入力して、出力と合致する情報ネットワークの一部を保存された情報ネットワークから得る。そして、その検索結果のなかで、送付対象の情報ネットワークとリンク付けされた情報ノードに対応する情報ノードのそれぞれに対して、送付対象の情報ノードとリンクを付けて送り、前記データベースシステム５のノード格納手段５ａ、リンク格納手段５ｂに保存する。
プッシュ用表示手段３ｃは、新しく関連付けられた送付対象の情報ノードと、リンク付けされた情報ノードを表示する。
【００１０】
図２は上記高精度プッシュ装置３を説明する図、図３〜図５は本実施例の高精度プッシュ装置３における処理フローである。
以下、図２〜図５により本実施例の高精度プッシュ装置３について説明する。なお、図２に表記される１）〜７）は図３〜図５の各ステップ１）〜７）に対応している。
高精度プッシュ装置３の高精度プッシュ制御手段３ｂは、図２に示すように条件部、プッシュ部分離手段３１と、条件検索手段３２と、検索結果部、プッシュ部統合格納手段３３を備え、以下のような処理を行う。
利用者はまず、条件およびプッシュ情報指定手段３ａを用いて、送付したい情報ノードと複数の情報ノード、リンクで構成される条件部を作成し、プッシュ先の情報ノードと送付したい情報ノードをリンクで結ぶ。なお、以下では、これから処理するリンクと既に処理したリンクとを区別するため、条件部分と送付対象部分の情報ノードを結ぶリンクをｐｕｓｈｅｓ（プシュズ）リンクといい、最終的に保存されるリンクをｐｕｓｈｅｄ（プッシュト）リンクと呼ぶ。
【００１１】
図２は、“注意事項”を、”機材Ａ”を発注する”発注”作業にのみプッシュする例を表しており、　機材Ａを発注する発注作業を条件とするために、”機材Ａ”ｄｅｖｉｃｅノード（図２の「機材Ａ，ｉｄ＝　＄Ｓ２　」のノード）が“発注％”ａｃｔｉｖｉｔｙノード（図２の「発注％，ｉｄ＝　＄Ｓ１　」のノード）に入力される条件を構成している。この場合、”機材Ａ”ｄｅｖｉｃｅノードと“発注％”ａｃｔｉｖｉｔｙノードおよびそれらを結ぶリンクが、条件部を構成する。
また、”発注％”ａｃｔｉｖｉｔｙノードと、”注意事項”ｎｏｔｉｃｅノード（図２の「注意事項，ｉｄ＝　ｘｘｘ　」のノード）を　ｐｕｓｈｅｓ　リンクで関連付けることによって、ｐｕｓｈｅｓ元の“注意事項”ｎｏｔｉｃｅノードが送付したい情報ノードであることを表す。この場合、”注意事項”ｎｏｔｉｃｅノードとｐｕｓｈｅｓリンクが、プッシュ部を構成する。
ここで、”％”は任意の文字列を表し、”＄”で始まる文字列は変数を表す。また、図２の”ｉｎｐｕｔ　”はリンク名、”ｉｄ”は、各ノード等に振られる識別のためのＩＤであり、ここではｎｏｔｉｃｅノードのｉｄを”ｘｘｘ　”としている。
【００１２】
利用者がこのような情報ネットワークを作成し、　図２に示すクエリプッシュボタンを押下すると、図２に示す条件およびプッシュ情報指定手段３ａは図３の１）に示す文を高精度プッシュ制御手段３ｂに出力する。
図３の１）において、”ｗｉｄｔｈ　”，”ｈｅｉｇｈｔ”は表示領域の大きさを示し、”ｘ　”，”ｙ　”は各ノードの位置を示す座標である。
また、”ａｃｔｉｖｉｔｙ”，”ｄｅｖｉｃｅ”，”ｎｏｔｉｃｅ”はノード、”ｉｎｐｕｔ　”，”　ｐｕｓｈｅｓ　”はリンクを表し、各ノード、リンクに、変数＄１〜４　，ｘｘｘ　の”ｉｄ”が割り当てられ、リンクには、リンク元（ｓｏｕｒｃｅ）のｉｄ（例えば、”ｉｎｐｕｔ　”の場合はリンク元である”ｄｅｖｉｃｅ”の＄２）、リンク先（ｔａｒｇｅｔ）のｉｄ（例えば、”ｉｎｐｕｔ　”の場合はリンク先である”ａｃｔｉｖｉｔｙ”の＄１）が振られる。
なお、”ａｌｐｈａ　＿ｉｄ”は、利用者により割り当てられるＩＤ、”ｊ　＿ｔｉｔｌｅ　”はノードのタイトルである。
【００１３】
高精度プッシュ制御手段３ｂの条件部、プッシュ部分離手段３１では、図２に示すように、まず、条件およびプッシュ情報指定手段３ａから与えられた文を条件部とプッシュ部に分離する。ここでは、前記したようにｐｕｓｈｅｓ元の情報ノードと　ｐｕｓｈｅｓ　リンクだけがプッシュ部となり、それ以外が条件部となる。
図３の２），３）に、上記のように分離された条件部とプッシュ部を示す。なお、ここでは、後の処理結果でｐｕｓｈｅｓ先（ターゲット）であった情報ノードの“発注％”ａｃｔｉｖｉｔｙノードを認識するために、”　ｍａｒｋ　”属性を導入し、値に　ｉｄ　値を埋め込んでおき、後述するように、該ｍａｒｋ属性を手がかりに、ｐｕｓｈｅｓリンクのｔａｒｇｅｔ属性値にｉｄ値を埋め込む。
【００１４】
次に、図２に示すように高精度プッシュ制御手段３ｂは、上記条件部を検索条件として条件検索を行う。
具体的には条件検索手段３２は、条件部を、図１に示す検索表示装置２の検索手段２ａが認識する書式に改めて、検索手段２ａに送る。検索手段２ａは、データベースシステム５のノード記憶領域／リンク記憶領域５ａ，５ｂにアクセスし、検索結果を得て、検索結果を上記条件検索手段３２に送る。
また、プッシュ部は、そのまま検索結果部、プッシュ部統合格納手段３３に送られる。
図３の４）に上記検索手段２ａに送られる条件部を示し、図４の５）に検索手段２ａにより得た検索結果を示す。
この例では、図４の５）に示すように、条件に合致する２つの　ａｃｔｉｖｉｔｙ　ノード“発注１”（ｉｄ＝１２３）、“発注２”（ｉｄ＝４５６）が検索されている。
【００１５】
次に、検索結果部、プッシュ部統合格納手段３３は、上記検索結果と、先のプッシュ部を統合する。
その際、上記検索結果部、プッシュ部統合格納手段３３は、図５の６）に示すように、送付したい情報ノード（”注意事項”ノード）を加え、さらに、“ｐｕｓｈｅｄ”リンクを加える。なお、前記したように“ｐｕｓｈｅｄ”リンクは、処理が終了した“ｐｕｓｈｅｓ”リンクを表す。
また、ｔａｒｇｅｔ属性値は、検索結果の　ｍａｒｋ属性を手がかりにその　ｉｄ　値を埋め込む。ここでは、２つのターゲット　ｉｄ＝１２３　，ｉｄ＝４５６（”発注１”ノードと”発注２”ノード）があるので、それぞれを　ｔａｒｇｅｔ　とする２つの　ｐｕｓｈｅｄ　リンクを追加する。
上記統合結果は、前記図１に示した情報整理表示装置１のノード格納手段１ａ／リンク格納手段１ｂを介して、データベースシステム５のノード記憶領域／リンク記憶領域５ａ，５ｂに格納される。図５の７）に、ノード記憶領域／リンク記憶領域５ａ，５ｂに格納される情報を示す。ここでは、“ｐｕｓｈｅｄ”リンクの”ｉｄ”がそれぞれ変数＄４，＄５から１２３１，４５６１に置き換えられている。
上記結果は、検索結果部、プッシュ部統合格納手段３３を介して、プッシュ用表示手段３ｃ（図１、図２参照）に送られ、図２に示すように結果が表示される。
【００１６】
（付記１）　情報もしくはものを、ノードとして表し、それらノードをリンクで相互に関係付けることで仮想的な情報ネットワークを表示、格納する情報整理表示システムであって、
検索条件となる情報ネットワークの部分構造の一部の情報ノードに、送付対象となる情報ノードをリンクで結びつける条件およびプッシュ情報指定手段と、
上記検索条件部分と、送付対象となる情報ノードもしくはリンクを分け、該検索条件部分に合致する情報ネットワークの一部を、上記仮想的な情報ネットワークから検索する検索手段と、
上記検索手段により検索された複数の検索結果の中で、送付対象の情報ノードとリンク付けされた情報ノードに対応する情報ノードのそれぞれに対し、送付対象の情報ノードとリンクをつけて保存するプッシュ制御手段とを備えた
ことを特徴とする情報整理表示システム。
（付記２）情報もしくはものを、ノードとして表し、それらノードをリンクで相互に関係付けることで仮想的な情報ネットワークを表示、格納する情報整理表示システムに適用され、上記仮想的な情報ネットワークに送付対象となる情報を関連付けするプッシュ装置であって、
上記プッシュ装置は、
検索条件となる情報ネットワークの部分構造の一部の情報ノードと、該情報ノードにリンクで結び付けられる送付対象となる情報ノードが与えられたとき、
上記検索条件部分と、送付対象となる情報ノードもしくはリンクを分け、該検索条件部分に合致する情報ネットワークの一部を、上記仮想的な情報ネットワークから検索する検索手段と、
上記検索手段により検索された複数の検索結果の中で、送付対象の情報ノードとリンク付けされた情報ノードに対応する情報ノードのそれぞれに対し、送付対象の情報ノードとリンクをつけて保存するプッシュ制御手段とを備えた
ことを特徴とするプッシュ装置。
（付記３）検索結果と送付対象のリンク付けの結果を表示する表示手段を備えたことを特徴とする付記２のプッシュ装置。
（付記４）条件部分と送付対象の情報ノードを結ぶリンクと、最終的に保存するリンクのタイプを変えることによって、既に処理したリンクとこれから処理するリンクを区別できるようにした
ことを特徴とする付記２または付記３のプッシュ装置。
（付記５）　情報もしくはものを、ノードとして表し、それらノードをリンクで相互に関係付けることで仮想的な情報ネットワークを作成し、該情報ネットワークを表示する情報整理表示装置に適用され、上記仮想的な情報ネットワークに送付対象となる情報を関連付けするためのプログラムであって、
上記プログラムは、検索条件となる情報ネットワークの部分構造の一部の情報ノードと、該情報ノードにリンクで結び付けられる上記送付対象となる情報ノードが与えられたとき、上記検索条件部分と、送付対象となる情報ノードもしくはリンクを分け、該検索条件部分に合致する情報ネットワークの一部を、上記仮想的な情報ネットワークから検索する処理と、
上記検索された複数の検索結果の中で、送付対象の情報ノードとリンク付けされた情報ノードに対応する情報ノードのそれぞれに対し、送付対象の情報ノードとリンクをつけて保存する処理をコンピュータに実行させる
ことを特徴とするプログラム。
【００１７】
【発明の効果】
以上説明したように、本発明によれば、情報整理表示システムにおいて、条件を満足するノードに対して、指定したノードを関連づけることで、利用者相互で情報の送付を行うことが可能になる。
これによって、例えば、ある作業ノードに関係する支援情報を、その作業ノードを検索条件に指定してその支援情報を保持する情報ノードをリンク付けして送ることで、自動的に特定の作業ノードに対して支援情報を関連付けることができ、　作業が簡便になる。また、メールで通知するのに比べ、作業に必要な情報が関連づいていることにより自然に直接的に受け取ることができるようになる。
【図面の簡単な説明】
【図１】本実施例の情報整理表示システムの基本概念を示す図である。
【図２】本発明の実施例の高精度プッシュ装置を説明する図である。
【図３】本発明の実施例の高精度プッシュ装置の処理フロー（１）である。
【図４】本発明の実施例の高精度プッシュ装置の処理フロー（２）である。
【図５】本発明の実施例の高精度プッシュ装置の処理フロー（３）である。
【符号の説明】
１　　情報整理表示装置
１ａ　ノード格納手段
１ｂ　リンク格納手段
２　　検索表示装置
２ａ　検索手段
３　　高精度プッシュ装置
３ａ　条件およびプッシュ情報指定手段
３ｂ　高精度プッシュ制御手段
３ｃ　プッシュ用表示手段
４　　翻訳手段
５　　データベースシステム
５ａ　ノード記憶領域
５ｂ　リンク記憶領域
【図１】
2004046488.tif 000003
【図２】
2004046488.tif 000004
【図３】
2004046488.tif 000005
【図４】
2004046488.tif 000006
【図５】
2004046488.tif 000007